(57)【要約】【課題】狭いスペースに収納でき、移動も安全かつスムーズに行える立ち姿勢サポート具を提供する。【解決手段】立ち姿勢の使用者が体重をあずけるもたれ部材１と、もたれ部材１が上部に取着された支持部材２と、使用者が踏むための足踏み盤部30を有すると共に支持部材２の下部に取着されるベース部材３と、を備えた立ち姿勢サポート具であって、ベース部材３を、支持部材２の下部に左右水平状軸心Ｌ３廻りに揺動自在に枢着して、上記足踏み盤部30が水平面状の展開状態と、展開状態から足踏み盤部を上方へ揺動させて支持部材２に添わせた折畳み状態とに、切り替え自在に構成した。【選択図】図１
2020054623.tif 000002
【特許請求の範囲】
【請求項１】
立ち姿勢の使用者が体重をあずけるもたれ部材（１）と、該もたれ部材（１）が上部に取着された支持部材（２）と、上記使用者が踏むための足踏み盤部（30）を有すると共に上記支持部材（２）の下部に取着されるベース部材（３）と、を備えた立ち姿勢サポート具に於て、
上記ベース部材（３）を、上記支持部材（２）の下部に左右水平状軸心（Ｌ３）廻りに揺動自在に枢着して、上記足踏み盤部（30）が水平面状の展開状態と、該展開状態から上記足踏み盤部（30）を上方へ揺動させて上記支持部材（２）に添わせた折畳み状態とに、切り替え自在に構成したことを特徴とする立ち姿勢サポート具。
【請求項２】
上記支持部材（２）は、支柱部（20）を有し、該支柱部（20）の下端が、前後水平状の前方突出部（20ｄ）と後方突出部（20ｅ）とを有する側面視倒立Ｔ字状に形成され、上記ベース部材（３）の上記折畳み状態において、自立可能に構成されている請求項１記載の立ち姿勢サポート具。
【請求項３】
上記足踏み盤部（30）は、前縁左右幅寸法（Ｗ30）が上記支持部材（２）の下端の左右幅寸法（Ｗ２）よりも大きく、かつ、上記展開状態において、上記足踏み盤部（30）は、左右幅寸法が後方へ向かって小さくなるように形成した請求項１又は２記載の立ち姿勢サポート具。
【発明の詳細な説明】
【技術分野】
【０００１】
本発明は、立ち姿勢サポート具に関する。
【背景技術】
【０００２】
従来、製造ラインの作業者や、商品発表会の司会者等、立ち姿勢の人の背部や腰部を支持して疲労を軽減する立ち姿勢サポート具は、立ち姿勢の使用者が体重をあずけるもたれ部材と、もたれ部材が上部に取着された支持部材と、支持部材の下部に取着されると共に使用者が踏むための足踏み盤部を有するベース部材と、を備えたものがあった（例えば、特許文献１参照）。
【先行技術文献】
【特許文献】
【０００３】
【特許文献１】再公表特許ＷＯ０１／０１３７６８号公報
【発明の概要】
【発明が解決しようとする課題】
【０００４】
しかし、従来の立ち姿勢サポート具は、ベース部材が嵩張って、収納可能なスペースが限られるといった問題があった。また、移動させる際に、ベース部材が、通路の側壁や角部、ドア等に接触しないように十分な注意を払う必要があり、スムーズに移動させることが困難といった問題があった。
【０００５】
そこで、本発明は、狭いスペースに収納でき、移動も安全かつスムーズに行うことが可能な立ち姿勢サポート具の提供を目的とする。
【課題を解決するための手段】
【０００６】
本発明の立ち姿勢サポート具は、立ち姿勢の使用者が体重をあずけるもたれ部材と、該もたれ部材が上部に取着された支持部材と、上記使用者が踏むための足踏み盤部を有すると共に上記支持部材の下部に取着されるベース部材と、を備えた立ち姿勢サポート具に於て、上記ベース部材を、上記支持部材の下部に左右水平状軸心廻りに揺動自在に枢着して、上記足踏み盤部が水平面状の展開状態と、該展開状態から上記足踏み盤部を上方へ揺動させて上記支持部材に添わせた折畳み状態とに、切り替え自在に構成したものである。
また、上記支持部材は、支柱部を有し、該支柱部の下端が、前後水平状の前方突出部と後方突出部とを有する側面視倒立Ｔ字状に形成され、上記ベース部材の上記折畳み状態において、自立可能に構成されているものである。
また、上記足踏み盤部は、前縁左右幅寸法が上記支持部材の下端の左右幅寸法よりも大きく、かつ、上記展開状態において、上記足踏み盤部は、左右幅寸法が後方へ向かって小さくなるように形成したものである。
【発明の効果】
【０００７】
本発明によれば、ベース部材を折畳み状態にでき、全体がコンパクトになって、狭いスペースに収納できる。移動させる際に、ベース部材が通路の側壁や角部等に接触する虞れを軽減でき、安全かつスムーズに移動させることができる。展開状態と折畳み状態とに容易かつ迅速に切り替えることができて使い勝手が良い。構造が簡素であって、かつ、軽量化を実現できる。
【図面の簡単な説明】
【０００８】
【図１】本発明の立ち姿勢サポート具の実施の一形態を示す使用状態の斜視図である。
【図２】側面図である。
【図３】正面図である。
【図４】平面図である。
【図５】展開状態の要部断面平面図である。
【図６】折畳み状態の斜視図である。
【図７】折畳み状態の全体図であって、（Ａ）は側面図であり、（Ｂ）は正面図であり、（Ｃ）は平面図である。
【図８】使用状態の他例を示す斜視図である。
【図９】使用状態の別例を示す斜視図である。
【発明を実施するための形態】
【０００９】
以下、図示の実施形態に基づき本発明を詳説する。
本発明に係る立ち姿勢サポート具は、図１に示すように、立ち姿勢の使用者が体重をあずけるクッション型のもたれ部材１と、もたれ部材１が上部に取着された支持部材２と、使用者が踏むための足踏み盤部30を有すると共に支持部材２の下部に取着されるベース部材３と、を備えている。
【００１０】
図１乃至図４に示すように、支持部材２は、もたれ部材１が上部に取着される左右一対の支柱部20，20と、一対の支柱部20，20の上下中間位置を左右方向に連結する上連結杆部23と、一対の支柱部20，20の下部を左右方向に連結する下連結杆部24と、下連結杆部24よりも上方位置で前方突出状に設けられたＵ字杆型のフットレスト部25と、を有している。
【００１１】
各支柱部20は、もたれ部材１が上部に取着される内杆部21と、内杆部21が上下スライド自在に挿入される固定の外筒部22と、を有する二重筒構造であって、上下伸縮自在に構成している。さらに、一対の支柱部20，20は、無段階に高さ調節自在（位置決め可能）に構成している。
【００１２】
無段階の高さ調節構造は、一方の外筒部22の上部に、ラジアル方向のネジ孔部を貫設し、そのネジ孔部に螺合するボルト部付のレバー型の操作部材26を螺着している。操作部材26を回転一方向へ操作して螺進させると、ボルト部の端面が、一方の内杆部21の外面に圧接し、内杆部21自体も外筒部22の内周面に圧接し、一対の内杆部21，21の上下スライドが阻止される（位置決めされる）。そして、操作部材26を回転他方向へ操作して螺退させると、ボルト部の端面が、一方の内杆部21の外面から離間して、一対の内杆部21，21が上下スライド自在となる。つまり、圧接による摩擦にて内杆部21の上下位置を位置決めすることで、無段階に高さ調節自在としている。
【００１３】
各支柱部20の下端は、前後水平状の前方突出部20ｄと前後水平状の後方突出部20ｅとを有する側面視倒立Ｔ字に形成している。言い換えると、支持部材２は平面視Ｈ字状に形成している。
【００１４】
そして、支持部材２（一対の支柱部20，20）の下部に、ベース部材３を左右水平状軸心Ｌ３廻りに揺動自在に枢着している。
【００１５】
ベース部材３は、使用者に足踏みされる金属製の板材から成る足踏み盤部30と、足踏み盤部30に固着される金属製の杆材からなる左右一対の揺動杆部材31，31と、を有している。
【００１６】
ここで、足踏み盤部30が水平面状に配設されている状態をベース部材３の展開状態と呼ぶ。
足踏み盤部30は、図４に示すように、前縁左右幅寸法Ｗ30が支持部材２の下端（一対の前方突出部20ｄ，20ｄ）の左右幅寸法Ｗ２よりも大きく形成されている。そして、足踏み盤部30の左右幅寸法は、展開状態において、後方（支持部材２の下端）へ向かって小さくなるように平面視台形状乃至扇状に形成している。言い換えると、足踏み盤部30の左右一対の側縁は、後方へ向かって相互に接近する（前方へ向かって相互に離間する）ハの字状に配設されている。
【００１７】
揺動杆部材31は、側面視Ｌ字状であって、支持部材２（一対の支柱部20，20）の左右外方位置に配設している。揺動杆部材31は、支柱部20の下部に枢着され展開状態において鉛直状姿勢となる基端部31ａと、基端部31ａから前方水平状に伸びて支柱部20の前方突出部20ｄと平行状に配設される中間部31ｂと、中間部31ｂから前方へ向かって平面視で左右外方へ傾斜するアーム部31ｃと、を有している。
【００１８】
揺動杆部材31のアーム部31ｃは、足踏み盤部30の側縁に固着されている。つまり、左右一対のアーム部31ｃ，31ｃは、後方へ向かって相互に接近するハの字状に配設される。
【００１９】
さらに、ベース部材３は、図５に示すように、各揺動杆部材31の基端部31ａに左右各端部が固着された金属製の帯板状の当り部材32を有している。
当り部材32は、支柱部20の後面側に配設され、展開状態において、支柱部20の後面20ｋに当接するように、及び、下連結杆部24の後面24ｋに当接するように配設される。
【００２０】
支持部材２の下連結杆部24は、後方開口状のネジ孔部24ｇを有している。ベース部材３の当り部材32は、展開状態において、下連結杆部24のネジ孔部24ｇに対応する（ネジ孔部24ｇと連通する）貫孔32ｇを有している。
そして、当り部材32を下連結杆部24に固定する止めネジ部材５を備えている。止めネジ部材５は、当り部材32の後方から貫孔32ｇを介してネジ孔部24ｇに螺合し、ベース部材３を展開状態に保持する。止めネジ部材５を螺脱させれば、ベース部材３は揺動可能となる。
【００２１】
図６と図７に示すように、ベース部材３を上方へ揺動させて支持部材２に添わせた折畳み状態となる。
ベース部材３の折畳み状態において、足踏み盤部30は、一対の支柱部20，20に立て掛け状に配設され、水平面状の設置面Ｇから９０度以上１１０度未満の揺動角度θをもって揺動した後方上傾状姿勢（これを、略鉛直面状という）となるのが、コンパクトに折り畳めて好ましい。
【００２２】
ベース部材３の折畳み状態において、支持部材２は、支柱部20の下端の杆状の前方突出部20ｄと杆状の後方突出部20ｅによって、自立可能である。設置や収納が容易に行えると共に、ベース部材３の揺動も容易となる。
【００２３】
また、図３に示すように、上連結杆部23は前方開口状のネジ孔部23ｇを有している。また、図４に示すように、足踏み盤部30は、前縁部に貫通孔30ｇを有している。
図６及び図７のベース部材３の折畳み状態において、上連結杆部23のネジ孔部23ｇに足踏み盤部30の貫通孔30ｇが対応する。そして、下連結杆部24から螺脱させた止めネジ部材５を、前方から、足踏み盤部30の貫通孔30ｇを介してネジ孔部23ｇに螺合し、足踏み盤部30を上連結杆部23に固定することで、ベース部材３は折畳み状態に保持される。
【００２４】
つまり、上連結杆部23及び下連結杆部24を、一対の支柱部20，20を補強するための部位と、ベース部材３を固定するための部位と、に併用し、部品点数の削減と軽量化を図っている。
【００２５】
ベース部材３が止めネジ部材５によって折畳み状態に保持され、支柱部20が操作部材26によって短縮状態に保持（ロック）された、収納状態（姿勢）となる。使用状態と比べて、前後寸法及び上下寸法が小さく、コンパクトになる。
図７（Ａ）と図７（Ｃ）に示すように、折畳み状態において、ベース部材３は、前方突出部20ｄの前端（先端）よりも前方へ突出せず、かつ、後方突出部20ｅの後端（先端）よりも後方へ突出しないように配設される。
【００２６】
また、図２に示すように、支柱部20を最も伸長させた使用状態において、もたれ部材１が使用者から受けるもたれ荷重をＦ１とし、もたれ部材１がＦ１を受けるもたれ荷重点をＯ点とする。また、足踏み盤部30が使用者から受ける押さえ荷重をＦ３とし、足踏み盤部30がＦ３を受ける押さえ荷重点をＱ点とする。Ｏ点からＱ点までの前後水平方向の荷重前後離間寸法をＥとする。過大なＦ１が付与された場合に、支持部材２が後方へ倒れようとする際の設置面Ｇに接する支点をＰ点とする。さらに、Ｐ点からＯ点までのもたれ高さ寸法をＨとし、Ｐ点からＱ点までの荷重支持前後離間寸法をＳとする。
【００２７】
Ｈ（もたれ高さ寸法）は、使用者からの要望や市場調査等によって、予め設定されている。また、Ｆ３は使用者の体重とする。そして、最も不安定になりやすい支柱部20の最伸長状態で、もたれ部材１にＦ１が付与された場合に、支持部材２が後方へ倒れないためには（Ｆ１×Ｈ）＜（Ｆ３×Ｓ）を満たす必要がある。つまり、もたれ部材１に大きいもたれ荷重（Ｆ１）が付与されても、Ｓの値が大きければ、支持部20は後方へ倒れずに安全である。そこで、後方突出部20ｅを設けることで、ベース部材３を前方へ延伸させずに、Ｓの値を大きくすることを可能としている。即ち、使用者が安全にもたれることを可能としながらも、ベース部材３の小型化を実現している。
【００２８】
また、後方突出部20ｅの後端近傍には、車輪等の走行用転動体が無く、僅かに傾いても、滑らず（走行せず）安全で使用できる。
【００２９】
また、図１に示すように、支持部材２のフットレスト部25は、Ｕ字状杆部材の一端部を一方の支柱部20（外筒部22）に前方突出状に固着すると共に、Ｕ字状杆部材の他端部を他方の支柱部20（外筒部22）に前方突出状に固着し、Ｕ字状杆部材の中間部を左右水平状としている。このような構成は、全体重量の軽量化に貢献できると共に、製造が容易となる。また、使用者が足を掛けやすく使い勝手が良い。
【００３０】
また、他の実施形態は、図示省略するが、支柱部20を１本とし、その１本の支柱部20の下部に、ベース部材３を揺動自在に枢着する。そして、１本の支柱部20の下端を、前後水平状の前方突出部20ｄと後方突出部20ｅとを有する側面視倒立Ｔ字状に形成して、ベース部材３の折畳み状態において、自立可能に構成したものである。より具体的には、外筒部22の下端に金属製の板材を水平面状に固着して、板状の前方突出部20ｄと、板状の後方突出部20ｅとを、形成する。板状の前方突出部20ｄの左右幅寸法を、支持部材２の下端の左右幅寸法Ｗ２とするのが好ましい。さらに、支柱部20の下部に、ベース部材３を展開状態に保持するためのネジ孔部24ｇを設け、支柱部20の上下中間部にベース部材３を折畳み状態に保持するためのネジ孔部23ｇを設ける。また、支柱部20の下部に、左右水平状の杆部材を固着してフットレスト部25を形成する。このように、支持部材２を１本柱構造とすることで、より軽量化できると共に、部品点数を削減でき、製造も容易となる。他の構成及び作用効果は上述の実施形態と同様である。
【００３１】
なお、本発明は、設計変更可能であって、もたれ部材１の形状は自由である。もたれ部材１を支柱部20に前後方向移動自在に設けても良いが、軽量化及び簡素化のために支柱部20に固定（固着）とするのが望ましい。図５に於て、当り部材32は、支柱部20の後面20ｋ及び下連結杆部24の後面24ｋのいずれか一方に当接すれば良い。
【００３２】
なお、本発明の説明を容易にするために、もたれ部材１に、使用者の腰部乃至背部を支持させて、使用者の正面側の水平方向（図１と図２と図４の矢印Ｙ方向）を、前方として方向を説明している。したがって、方向を基に、使用姿勢を限定するものではない。例えば、図８に示すように、もたれ部材１に、使用者の腰部乃至背部を支持させて、使用者が背筋を伸ばしてストレッチをするように使用するも良い。また、図９に示すように、もたれ部材１に、使用者の腹部乃至胸部を支持させるように使用するも良い。また、図示省略するが、もたれ部材１に、使用者の横腹（脇腹）乃至脇部を支持させるように使用するも良い。
【００３３】
以上のように、本発明の立ち姿勢サポート具は、立ち姿勢の使用者が体重をあずけるもたれ部材１と、該もたれ部材１が上部に取着された支持部材２と、上記使用者が踏むための足踏み盤部30を有すると共に上記支持部材２の下部に取着されるベース部材３と、を備えた立ち姿勢サポート具に於て、上記ベース部材３を、上記支持部材２の下部に左右水平状軸心Ｌ３廻りに揺動自在に枢着して、上記足踏み盤部30が水平面状の展開状態と、該展開状態から上記足踏み盤部30を上方へ揺動させて上記支持部材２に添わせた折畳み状態とに、切り替え自在に構成したので、ベース部材３を折畳み状態として、全体がコンパクトになって、狭いスペースに収納できる。移動させる際に、ベース部材３が通路の側壁や角部等に接触する虞れを軽減でき、安全かつスムーズに移動させることができる。展開状態と折畳み状態とに容易かつ迅速に切り替えることがきて使い勝手が良い。構造が簡素で容易に製造できると共に、軽量化を実現できる。
【００３４】
また、上記支持部材２は、支柱部20を有し、該支柱部20の下端が、前後水平状の前方突出部20ｄと後方突出部20ｅとを有する側面視倒立Ｔ字状に形成され、上記ベース部材３の上記折畳み状態において、自立可能に構成されているので、収納や設置が容易で、使い勝手が良い。ベース部材３を容易かつスムーズに揺動させることができる。また、使用状態においても、後方へ倒れ難く、安全性が高い。ベース部材３を前方へ長く設けずとも安定して使用者を支持できる。つまり、ベース部材３を小さく（狭く）できる。
【００３５】
また、上記足踏み盤部30は、前縁左右幅寸法Ｗ30が上記支持部材２の下端の左右幅寸法Ｗ２よりも大きく、かつ、上記展開状態において、上記足踏み盤部30は、左右幅寸法が後方へ向かって小さくなるように形成したので、使用者が無意識に、足踏み盤部30上の広い部位を踏もうとする心理を巧みに利用でき、使用者の体重がかかる位置が、足踏み盤部30の前後中心位置よりも前方となって、図２に示すように、実質的にＳ（荷重支持離間寸法）が大きくなり、大きなもたれ荷重（Ｆ１）に対応できる。また、足踏み盤部30の左右幅寸法を前方から後方へ向かって変化させない長方形状とした場合に比べて、無駄に大きくならず、軽量にできる。また、支持部材２の下端の左右幅寸法Ｗ２を小さくでき支持部材２の小型化に貢献できる。
【符号の説明】
【００３６】
１  もたれ部材
２  支持部材
３  ベース部材
20  支柱部
20ｄ  前方突出部
20ｅ  後方突出部
30  足踏み盤部
Ｌ３  左右水平状軸心
Ｗ２  左右幅寸法
Ｗ30  前縁左右幅寸法
【図１】
2020054623.tif 000003
【図２】
2020054623.tif 000004
【図３】
2020054623.tif 000005
【図４】
2020054623.tif 000006
【図５】
2020054623.tif 000007
【図６】
2020054623.tif 000008
【図７】
2020054623.tif 000009
【図８】
2020054623.tif 000010
【図９】
2020054623.tif 000011